(57)【要約】      （修正有）【課題】携帯用情報機器を内側に収納する収納姿勢と、携帯用情報機器を立たせた起立姿勢との間の姿勢変化を容易に行うことができ、高い利便性を得ることができるカバースタンド及びカバースタンド付き携帯用情報機器を提供する。【解決手段】カバースタンド１０は、互いの内面に亘って二つ折りに折り畳み可能な携帯用情報機器１２の背面１２ｄが装着される第１カバー部１４及び第２カバー部１５と、この間を折曲可能に接続する第１背表紙部１６と、第１縦折り線Ｙ１と直交する第１横折り線Ｘ１を介して第１カバー部１４の一端部に接続された第１スタンド板１８と、第２縦折り線Ｙ２と直交する第２横折り線Ｘ２を介して第２カバー部１５の一端部に接続された第２スタンド板１９と、この間を折曲可能に接続する第２背表紙部２０と、第１背表紙部１６と第２背表紙部２０との間を切り離すように設けられた切れ目２４とを備える。【選択図】図１
2018105961.tif 000002
【特許請求の範囲】
【請求項１】
互いの内面に亘って二つ折りに折り畳み可能な携帯用情報機器の背面が装着される第１カバー部及び第２カバー部と、
第１縦折り線を介して前記第１カバー部と折曲可能に接続されると共に、第２縦折り線を介して前記第２カバー部と折曲可能に接続されることで、前記第１カバー部と前記第２カバー部との間を折曲可能に接続する第１背表紙部と、
前記第１縦折り線と直交する第１横折り線を介して前記第１カバー部の一端部に接続され、前記携帯用情報機器の背面側から接離する方向に移動可能な第１スタンド板と、
前記第２縦折り線と直交する第２横折り線を介して前記第２カバー部の一端部に接続され、前記携帯用情報機器の背面側から接離する方向に移動可能な第２スタンド板と、
前記第１縦折り線と平行する第３縦折り線を介して前記第１スタンド板と折曲可能に接続されると共に、前記第２縦折り線と平行する第４縦折り線を介して前記第２カバー部と折曲可能に接続されることで、前記第１スタンド板と前記第２スタンド板との間を折曲可能に接続するものであり、前記第３縦折り線と前記第４縦折り線との間の幅寸法が、前記第１背表紙部の前記第１縦折り線と前記第２縦折り線との間の幅寸法よりも幅広に構成された第２背表紙部と、
前記第１背表紙部と前記第２背表紙部との間を切り離すように設けられた切れ目と、
を備え、
前記第１カバー部と前記第２カバー部とを前記第１背表紙部を介して互いに二つ折りに折り畳んだ場合に、前記第１スタンド板と前記第２スタンド板とが前記第２背表紙部を介して二つ折りに折り畳まれ、これにより内側に前記携帯用情報機器を収納する収納姿勢に変化し、
前記収納姿勢から前記第１カバー部と前記第２カバー部とを前記第１背表紙部を介して互いに離間する方向に開いた場合に、前記第１スタンド板と前記第２スタンド板とが前記第２背表紙部を介して互いに離間する方向に開くと共に、前記第１スタンド板及び前記第２スタンド板がそれぞれ前記第１横折り線及び前記第２横折り線を介して前記第１カバー部及び前記第２カバー部から折れ曲がることで前記携帯用情報機器の背面から離間する方向に移動し、これにより前記切れ目を形成する前記第２背表紙部の端面が前記第１背表紙部の外面に当接し、前記携帯用情報機器を起立保持する起立姿勢に変化することを特徴とするカバースタンド。
【請求項２】
請求項１記載のカバースタンドにおいて、
前記第１背表紙部は、前記第１縦折り線と前記第２縦折り線との間となる位置に、該第１縦折り線及び該第２縦折り線と平行する第５縦折り線及び第６縦折り線を有し、
前記第２背表紙部は、前記第３縦折り線と前記第４縦折り線との間となる位置に、前記切れ目を挟んで前記第５縦折り線及び前記第６縦折り線の延長線上に延びた第７縦折り線及び第８縦折り線を有し、
前記第５縦折り線と前記第６縦折り線とに挟まれた部分と、前記第７縦折り線と前記第８縦折り線とに挟まれた部分とが、前記収納姿勢で前記携帯用情報機器の端面を厚み方向に覆う背表紙板となることを特徴とするカバースタンド。
【請求項３】
請求項２記載のカバースタンドにおいて、
前記切れ目は、前記第５縦折り線との交点から前記第１縦折り線まで前記第１横折り線から離間する方向に延在すると共に、前記第６縦折り線との交点から前記第２縦折り線まで前記第２横折り線から離間する方向に延在していることを特徴とするカバースタンド。
【請求項４】
請求項３記載のカバースタンドにおいて、
前記切れ目と前記第１縦折り線との交点から、前記第３縦折り線と前記第１横折り線の交点まで延在する第１傾斜折り線と、
前記切れ目と前記第２縦折り線との交点から、前記第４縦折り線と前記第２横折り線の交点まで延在する第２傾斜折り線とを備えることを特徴とするカバースタンド。
【請求項５】
請求項１〜４のいずれか１項に記載のカバースタンドと、前記携帯用情報機器とを備えることを特徴とするカバースタンド付き携帯用情報機器。
【請求項６】
請求項５記載のカバースタンド付き携帯用情報機器において、
前記携帯用情報機器は、二つ折りに折り畳み可能な一対の筐体部材を有し、
一方の筐体部材が前記第１カバー部に装着され、他方の筐体部材が前記第２カバー部に装着されることを特徴とするカバースタンド付き携帯用情報機器。
【発明の詳細な説明】
【技術分野】
【０００１】
本発明は、携帯用情報機器を収納して持ち運びできる収納姿勢と、起立させて保持する起立姿勢とに姿勢変化可能なカバースタンド及び該カバースタンドと携帯用情報機器を備えるカバースタンド付き携帯用情報機器に関する。
【背景技術】
【０００２】
近年、タッチパネル式の液晶ディスプレイを有し、物理的なキーボードを持たないタブレット型パーソナルコンピュータ（タブレット型ＰＣ）が急速に普及している。タブレット型ＰＣは、一般に手で把持した状態で操作する場合と、机や膝の上に置いた状態で操作する場合とがある。机や膝の上に置いた状態で操作する場合にはスタンドを利用して立てた状態で使用されることもある。またタブレット型ＰＣの持ち運び時に傷つきや破損を避けるため、二つ折りした内側にタブレット型ＰＣを収納できるカバー部材も利用されている。
【０００３】
本出願人は特許文献１において、折り畳んだ状態ではタブレット型ＰＣ等の携帯用情報機器をカバー部材の内側に収納して持ち運ぶことができる収納姿勢と、携帯用情報機器を立たせた起立姿勢とに姿勢変化可能なカバースタンドを提案している。
【先行技術文献】
【特許文献】
【０００４】
【特許文献１】特開２０１３−０２５４２０号公報
【発明の概要】
【発明が解決しようとする課題】
【０００５】
上記特許文献１記載の構成では、携帯用情報機器を保持した支持板の下縁部の角をキーボードが設けられた基台の上面に形成された溝に引っ掛け、さらに互いを磁石によって吸着させる。これにより、携帯用情報機器を背面から支持する三角構造が構築され、携帯用情報機器を安定した起立姿勢に保持することができる。
【０００６】
ところがこの構成では、カバースタンドを収納姿勢から起立姿勢に姿勢変化させる際、使用者は携帯用情報機器を開き方向に持ち上げた後、携帯用情報機器を支持している支持板の下縁部を持ち上げてこれを基台の上面に係止させる必要がある。つまり、使用者は、携帯用情報機器の開き操作と、携帯用情報機器の下縁部を一旦持ち上げてから係止させる操作とを行う必要があり、この操作回数の低減が望まれている。
【０００７】
本発明は、上記従来技術の課題を考慮してなされたものであり、携帯用情報機器を内側に収納する収納姿勢と、携帯用情報機器を立たせた起立姿勢との間の姿勢変化を容易に行うことができ、高い利便性を得ることができるカバースタンド及び該カバースタンドと携帯用情報機器を備えるカバースタンド付き携帯用情報機器を提供することを目的とする。
【課題を解決するための手段】
【０００８】
本発明に係るカバースタンドは、互いの内面に亘って二つ折りに折り畳み可能な携帯用情報機器の背面が装着される第１カバー部及び第２カバー部と、第１縦折り線を介して前記第１カバー部と折曲可能に接続されると共に、第２縦折り線を介して前記第２カバー部と折曲可能に接続されることで、前記第１カバー部と前記第２カバー部との間を折曲可能に接続する第１背表紙部と、前記第１縦折り線と直交する第１横折り線を介して前記第１カバー部の一端部に接続され、前記携帯用情報機器の背面側から接離する方向に移動可能な第１スタンド板と、前記第２縦折り線と直交する第２横折り線を介して前記第２カバー部の一端部に接続され、前記携帯用情報機器の背面側から接離する方向に移動可能な第２スタンド板と、前記第１縦折り線と平行する第３縦折り線を介して前記第１スタンド板と折曲可能に接続されると共に、前記第２縦折り線と平行する第４縦折り線を介して前記第２カバー部と折曲可能に接続されることで、前記第１スタンド板と前記第２スタンド板との間を折曲可能に接続するものであり、前記第３縦折り線と前記第４縦折り線との間の幅寸法が、前記第１背表紙部の前記第１縦折り線と前記第２縦折り線との間の幅寸法よりも幅広に構成された第２背表紙部と、前記第１背表紙部と前記第２背表紙部との間を切り離すように設けられた切れ目とを備え、前記第１カバー部と前記第２カバー部とを前記第１背表紙部を介して互いに二つ折りに折り畳んだ場合に、前記第１スタンド板と前記第２スタンド板とが前記第２背表紙部を介して二つ折りに折り畳まれ、これにより内側に前記携帯用情報機器を収納する収納姿勢に変化し、前記収納姿勢から前記第１カバー部と前記第２カバー部とを前記第１背表紙部を介して互いに離間する方向に開いた場合に、前記第１スタンド板と前記第２スタンド板とが前記第２背表紙部を介して互いに離間する方向に開くと共に、前記第１スタンド板及び前記第２スタンド板がそれぞれ前記第１横折り線及び前記第２横折り線を介して前記第１カバー部及び前記第２カバー部から折れ曲がることで前記携帯用情報機器の背面から離間する方向に移動し、これにより前記切れ目を形成する前記第２背表紙部の端面が前記第１背表紙部の外面に当接し、前記携帯用情報機器を起立保持する起立姿勢に変化することを特徴とする。
【０００９】
前記第１背表紙部は、前記第１縦折り線と前記第２縦折り線との間となる位置に、該第１縦折り線及び該第２縦折り線と平行する第５縦折り線及び第６縦折り線を有し、前記第２背表紙部は、前記第３縦折り線と前記第４縦折り線との間となる位置に、前記切れ目を挟んで前記第５縦折り線及び前記第６縦折り線の延長線上に延びた第７縦折り線及び第８縦折り線を有し、前記第５縦折り線と前記第６縦折り線とに挟まれた部分と、前記第７縦折り線と前記第８縦折り線とに挟まれた部分とが、前記収納姿勢で前記携帯用情報機器の端面を厚み方向に覆う背表紙板となる構成であってもよい。
【００１０】
前記切れ目は、前記第５縦折り線との交点から前記第１縦折り線まで前記第１横折り線から離間する方向に延在すると共に、前記第６縦折り線との交点から前記第２縦折り線まで前記第２横折り線から離間する方向に延在した構成であってもよい。
【００１１】
前記切れ目と前記第１縦折り線との交点から、前記第３縦折り線と前記第１横折り線の交点まで延在する第１傾斜折り線と、前記切れ目と前記第２縦折り線との交点から、前記第４縦折り線と前記第２横折り線の交点まで延在する第２傾斜折り線とを備える構成であってもよい。
【００１２】
本発明に係るカバースタンド付き携帯用情報機器は、上記構成のカバースタンドと、前記携帯用情報機器とを備えることを特徴とする。
【００１３】
前記携帯用情報機器は、二つ折りに折り畳み可能な一対の筐体部材を有し、一方の筐体部材が前記第１カバー部に装着され、他方の筐体部材が前記第２カバー部に装着される構成であってもよい。
【発明の効果】
【００１４】
本発明によれば、携帯用情報機器を内側に収納する収納姿勢と、携帯用情報機器を立たせた起立姿勢との間の姿勢変化を容易に行うことができる。
【図面の簡単な説明】
【００１５】
【図１】図１は、本発明の一実施形態に係るカバースタンドを用いて携帯用情報機器を起立させた状態を示す斜視図である。
【図２】図２は、図１に示すカバースタンド及び携帯用情報機器の側面図である。
【図３】図３は、カバースタンドを折り畳み、携帯用情報機器を内側に収納した状態を示す側面図である。
【図４】図４は、カバースタンドを平板状に展開した状態を模式的に示した平面図である。
【図５】図５は、収納姿勢にあるカバースタンドの斜視図である。
【図６Ａ】図６Ａは、収納姿勢のカバースタンド及び携帯用情報機器を開き動作させた状態を示す斜視図である。
【図６Ｂ】図６Ｂは、図６Ａに示すカバースタンド及び携帯用情報機器をさらに開き動作させて起立姿勢とした状態を示す斜視図である。
【発明を実施するための形態】
【００１６】
以下、本発明に係るカバースタンド及びカバースタンド付き携帯用情報機器について好適な実施の形態を挙げ、添付の図面を参照しながら詳細に説明する。
【００１７】
図１は、本発明の一実施形態に係るカバースタンド１０を用いて携帯用情報機器１２を起立させた状態を示す斜視図である。図２は、図１に示すカバースタンド１０及び携帯用情報機器１２の側面図である。図３は、カバースタンド１０を折り畳み、携帯用情報機器１２を内側に収納した状態を示す側面図である。
【００１８】
カバースタンド１０は、携帯用情報機器１２を机の上や着席した使用者の太ももや膝等の載置面上で立てることができるスタンドとしての機能と、携帯用情報機器１２を収納して持ち運ぶためのカバーケースとしての機能とを備える。カバースタンド１０の使用対象となる携帯用情報機器１２として、本実施形態では二つ折りに折り畳み可能なタブレット型ＰＣを例示する。携帯用情報機器１２は、折り畳み不能なタブレット型ＰＣ、携帯電話又はスマートフォン等でもよい。
【００１９】
図１及び図３に示すように、携帯用情報機器１２は、二つ折りに折り畳み可能な一対の筐体部材１２ａ，１２ａと、一対の筐体部材１２ａ，１２ａの表面を覆うように設けられたディスプレイ１２ｂとを備える。
【００２０】
一対の筐体部材１２ａ，１２ａ間は、ヒンジ１２ｃを介して折り畳み可能に連結されている（図３参照）。各筐体部材１２ａの内部には図示しない演算装置及びメモリ等の各種電子部品が収納されている。図３ではヒンジ１２ｃは２本のアーム部材と４本の軸を備えた構造を例示しているが、ヒンジ１２ｃは１軸構造やフレキシブルヒンジ等であってもよい。
【００２１】
ディスプレイ１２ｂは、例えばタッチパネル式の液晶ディスプレイである。ディスプレイ１２ｂは、筐体部材１２ａ，１２ａを折り畳んだ際に一緒に折り畳み可能な構造である。ディスプレイ１２ｂは、例えば柔軟性の高いペーパー構造を持った有機ＥＬ（Electro  Luminescence）等のフレキシブルディスプレイであり、筐体部材１２ａ，１２ａの開閉動作に伴って開閉する。ディスプレイ１２ｂは、各筐体部材１２ａの表面にそれぞれ小型のディスプレイを設けた２画面構造で構成されてもよい。
【００２２】
図４は、カバースタンド１０を平板状に展開した状態を模式的に示した平面図である。図５は、収納姿勢にあるカバースタンド１０の斜視図である。
【００２３】
カバースタンド１０は、携帯用情報機器１２を使用する際の起立姿勢（図１及び図２参照）と、携帯用情報機器１２を内側に収納する際の収納姿勢（図３参照）とに姿勢変化可能である。
【００２４】
図１〜図５に示すように、カバースタンド１０は、第１カバー部１４及び第２カバー部１５と、第１背表紙部１６と、第１スタンド板１８及び第２スタンド板１９と、第２背表紙部２０とを備える。なお、図４では、第１カバー部１４、第２カバー部１５、第１背表紙部１６、第１スタンド板１８、第２スタンド板１９及び第２背表紙部２０を一枚板状に図示しているが、カバースタンド１０を開いた実際の起立姿勢では図１及び図２に示すように第１カバー部１４及び第２カバー部１５以外は携帯用情報機器１２の背面１２ｄから離間した位置に移動した立体形状となる。
【００２５】
第１カバー部１４及び第２カバー部１５は、携帯用情報機器１２の各筐体部材１２ａの背面１２ｄに装着される薄板状部材である。第１カバー部１４及び第２カバー部１５は、第１背表紙部１６を介して互いに二つ折りに折曲可能に接続されている。各カバー部１４，１５は同一形状の外形を有し、図３及び図５に示す収納姿勢では第１背表紙部１６を介して二つ折りに折り畳んだ状態で携帯用情報機器１２を挟んで互いに重なる。各カバー部１４，１５は、図１及び図２に示す起立姿勢では第１背表紙部１６を挟んで平板状に並ぶ。
【００２６】
本実施形態の場合、各カバー部１４，１５は、携帯用情報機器１２の背面１２ｄの略上半分を覆う外形を有する。各カバー部１４，１５は、その内面が携帯用情報機器１２の背面１２ｄに装着される。
【００２７】
各カバー部１４，１５の上下左右適宜箇所には、それぞれ磁石２２が埋設されている（図２及び図４参照）。カバースタンド１０は、各磁石２２を携帯用情報機器１２の筐体部材１２ａに埋設された磁石又は金属板等の被吸着体２３に吸着させることで携帯用情報機器１２の背面１２ｄに装着される。携帯用情報機器１２に対するカバー部１４，１５の装着構造は、磁石２２を用いた構造以外、例えば各カバー部１４，１５の隅部等に携帯用情報機器１２の隅部等を挿入保持可能な保持バンド（図示せず）を設けた構造等であってもよい。
【００２８】
第１背表紙部１６は、携帯用情報機器１２を内側にしてカバー部１４，１５を二つ折りに折り畳んだ場合に、一緒に折り畳まれた携帯用情報機器１２の端面及びその周辺部を覆う部分である（図３及び図５参照）。第１背表紙部１６は、携帯用情報機器１２の背面１２ｄから接離可能である。第１背表紙部１６は、第１縦折り線Ｙ１を介して第１カバー部１４と折曲可能に接続されると共に、第２縦折り線Ｙ２を介して第２カバー部１５と折曲可能に接続されている。これにより第１背表紙部１６は、第１カバー部１４と第２カバー部１５との間を折曲可能に接続している。
【００２９】
第１スタンド板１８及び第２スタンド板１９は、携帯用情報機器１２の各筐体部材１２ａの背面１２ｄ側に接離可能に配置される薄板状部材である。第１スタンド板１８及び第２スタンド板１９は、第２背表紙部２０を介して互いに二つ折りに折曲可能に接続されている。各スタンド板１８，１９は同一形状の外形を有する。各スタンド板１８，１９は、図３及び図５に示すように携帯用情報機器１２を内側にして第２背表紙部２０を介して二つ折りに折り畳んだ状態で携帯用情報機器１２を挟んで互いに重なる。各スタンド板１８，１９は、図１及び図２に示す起立姿勢では携帯用情報機器１２の背面１２ｄから離間した位置に移動し、互いの間に山折り形状の第２背表紙部２０を形成する。
【００３０】
第１スタンド板１８は、第１縦折り線Ｙ１と直交する第１横折り線Ｘ１を介して第１カバー部１４の一端部（図４中で下端部）と接続されている。第２スタンド板１９は、第２縦折り線Ｙ２と直交する第２横折り線Ｘ２を介して第２カバー部１５の一端部（図４中で下端部）と接続されている。これにより各スタンド板１８，１９は、各カバー部１４，１５に対して各横折り線Ｘ１，Ｘ２を介して折曲可能であり、第２背表紙部２０と共に携帯用情報機器１２の背面１２ｄから接離する方向に移動可能である。
【００３１】
本実施形態の場合、各スタンド板１８，１９は、携帯用情報機器１２の背面１２ｄの略下半分を覆う外形を有する（図３及び図５）。つまり図３及び図５に示す収納姿勢では、各カバー部１４，１５、各背表紙部１６，２０及び各スタンド板１８，１９によって携帯用情報機器１２の背面１２ｄの全面が覆われる。
【００３２】
第２背表紙部２０は、第１背表紙部１６の長手方向一端側（図４中で下側）に並んで設けられる。第２背表紙部２０は、携帯用情報機器１２を内側にしてスタンド板１８，１９を二つ折りに折り畳んだ場合に、一緒に折り畳まれた携帯用情報機器１２の端面及びその周辺部を覆う部分である（図３及び図５参照）。第２背表紙部２０は、携帯用情報機器１２の背面１２ｄから接離可能である。第２背表紙部２０は、第３縦折り線Ｙ３を介して第１スタンド板１８と折曲可能に接続されると共に、第４縦折り線Ｙ４を介して第２スタンド板１９と折曲可能に接続されている。これにより第２背表紙部２０は、第１スタンド板１８と第２スタンド板１９との間を折曲可能に接続している。
【００３３】
図４に示すように、第２背表紙部２０は、その幅寸法Ｗ２（第３縦折り線Ｙ３と第４縦折り線Ｙ４との間の距離）が第１背表紙部１６の幅寸法Ｗ１（第１縦折り線Ｙ１と第２縦折り線Ｙ２との間の距離）よりも幅広に構成されている。
【００３４】
第１背表紙部１６と第２背表紙部２０との境界部分には、切れ目２４が設けられている。切れ目２４は、第１背表紙部１６と第２背表紙部２０との間を切り離す切断線である。
【００３５】
第１背表紙部１６は、第１縦折り線Ｙ１と第２縦折り線Ｙ２との間となる位置に、これらと平行する第５縦折り線Ｙ５及び第６縦折り線Ｙ６を有する。第２背表紙部２０は、第３縦折り線Ｙ３と第４縦折り線Ｙ４との間となる位置に第７縦折り線Ｙ７及び第８縦折り線Ｙ８を有する。第７縦折り線Ｙ７及び第８縦折り線Ｙ８は、それぞれ切れ目２４を挟んで第５縦折り線Ｙ５及び第６縦折り線Ｙ６の延長線上に延びている。第１背表紙部１６は、第５縦折り線Ｙ５と第６縦折り線Ｙ６とに挟まれた部分が背表紙板１６ａとなる。第２背表紙部２０は、第７縦折り線Ｙ７と第８縦折り線Ｙ８とに挟まれた部分が背表紙板２０ａとなる。背表紙板１６ａ，２０ａは、図３及び図５に示す収納姿勢で携帯用情報機器１２の端面に対面配置され、この部分を厚み方向に覆う背表紙となる。
【００３６】
なお、第１横折り線Ｘ１はスタンド板１８の外側端部から第３縦折り線Ｙ３を通過して第７縦折り線Ｙ７まで延在し、第２横折り線Ｘ２はスタンド板１９の外側端部から第４縦折り線Ｙ４を通過して第８縦折り線Ｙ８まで延在している。
【００３７】
切れ目２４は、背表紙板１６ａ，２０ａ間を切り離している。切れ目２４は、第５縦折り線Ｙ５（第７縦折り線Ｙ７）との交点Ｐ１から第１縦折り線Ｙ１まで第１横折り線Ｘ１から離間して第１カバー部１４に向かう方向に延在する。さらに切れ目２４は、第６縦折り線Ｙ６（第８縦折り線Ｙ８）との交点Ｐ２から第２縦折り線Ｙ２まで第２横折り線Ｘ２から離間して第２カバー部１５に向かう方向に延在する。
【００３８】
切れ目２４の両端部からは第１傾斜折り線Ｚ１及び第２傾斜折り線Ｚ２が延びている。第１傾斜折り線Ｚ１は、切れ目２４と第１縦折り線Ｙ１との交点Ｐ３から第３縦折り線Ｙ３と第１横折り線Ｘ１との交点Ｐ４まで延在している。第２傾斜折り線Ｚ２は、切れ目２４と第２縦折り線Ｙ２との交点Ｐ５から第４縦折り線Ｙ４と第２横折り線Ｘ２との交点Ｐ６まで延在している。
【００３９】
切れ目２４の形状は他の形状であってもよい。例えば切れ目２４は、背表紙板１６ａ，２０ａ間を切り離した部分と、この部分の両端部である交点Ｐ１，Ｐ２からそれぞれ各横折り線Ｘ１，Ｘ２に沿って延びた後、各縦折り線Ｙ１，Ｙ２の延長線との交点から交点Ｐ３，Ｐ５に向かって伸びた形状であってもよい。この構成の場合、切れ目２４は、図４中で交点Ｐ３，Ｐ５から縦折り線Ｙ１，Ｙ２の延長線上を延びて各横折り線Ｘ１，Ｘ２に接触し、そのまま各横折り線Ｘ１，Ｘ２に沿って互いに中央に向かって延びた形状となる。
【００４０】
このようなカバースタンド１０は、例えばガラスエポキシ樹脂やポリカーボネイト、カーボン等からなる薄い平板を芯材とし、その周囲を皮革や人工皮革、布等の表面材で囲繞した材質のものを用いるとよい。すなわち、例えば第１カバー部１４及び第１スタンド板１８では、第１カバー部１４の芯材と第１スタンド板１８の芯材とを両面を覆う表面材を介して連接し、第１横折り線Ｘ１となる部分の表面材に溝状の折り目等を設けた構成となり、他の部分についても同様である。また、切れ目２４は芯材を有さないだけでなく表面材も切断された部分である。
【００４１】
次に、以上のように構成されるカバースタンド１０を図５に示す収納姿勢から図１に示す起立姿勢へと姿勢変化させる方法を説明する。
【００４２】
図６Ａは、収納姿勢のカバースタンド１０及び携帯用情報機器１２を開き動作させた状態を示す斜視図である。図６Ｂは、図６Ａに示すカバースタンド１０及び携帯用情報機器１２をさらに開き動作させて起立姿勢とした状態を示す斜視図である。
【００４３】
先ず、図５に示す収納姿勢では、カバースタンド１０は各縦折り線Ｙ５〜Ｙ８を介して各背表紙部１６，２０が折り曲げられている。これによりカバースタンド１０は、二つ折りに折り畳まれた携帯用情報機器１２を内側に収納した状態で各背表紙板１６ａ，２０ａを背表紙とし、各カバー部１４，１５及び各スタンド板１８，１９が二つ折りに折り畳まれている。携帯用情報機器１２は、その３面（上下面と背表紙側端面）が各カバー部１４，１５、各スタンド板１８，１９及び各背表紙板１６ａ，２０ａによって覆われている。このため、使用者はブックカバーのようにカバースタンド１０で携帯用情報機器１２を保護して持ち運ぶことができる。
【００４４】
この際、携帯用情報機器１２の３面を覆う各カバー部１４，１５、各スタンド板１８，１９及び各背表紙板１６ａ，２０ａは、各面共に平板状に形成される。このため、カバースタンド１０は全体としてコンパクトな折り畳み形状となり、持ち運び性や収納性が確保される。
【００４５】
次に、図５に示す収納姿勢にあるカバースタンド１０及び携帯用情報機器１２を起立姿勢に変化させる場合には、図６Ａに示すように各カバー部１４，１５及び各スタンド板１８，１９のそれぞれを各背表紙部１６，２０を介して互いに離間する方向に開き動作させる。そうすると、第１背表紙部１６の両端の縦折り線Ｙ１，Ｙ２間の距離（幅寸法Ｗ１）が縮まり、第１背表紙部１６が左右のカバー部１４，１５から中心に向かう方向の押圧力を受けて山折り形状に立ち上がる。同様に、第２背表紙部２０の両端の縦折り線Ｙ３，Ｙ４間の距離（幅寸法Ｗ２）が縮まり、第２背表紙部２０が左右のスタンド板１８，１９から中心に向かう方向の押圧力を受けて山折り形状に立ち上がる。
【００４６】
この際、カバースタンド１０は、カバー部１４，１５側の第１背表紙部１６の幅寸法Ｗ１よりもスタンド板１８，１９側の第２背表紙部２０の幅寸法Ｗ２が幅広に形成されている。このため、第１背表紙部１６と第２背表紙部２０の幅寸法Ｗ１，Ｗ２の差分により、第２背表紙部２０の山折り形状の高さが、第１背表紙部１６の山折り形状の高さより大きくなる。これにより、各スタンド板１８，１９がそれぞれ各横折り線Ｘ１，Ｘ２を介して各カバー部１４，１５から折れ曲がって携帯用情報機器１２の背面１２ｄから離間する方向に移動する。
【００４７】
各カバー部１４，１５及び各スタンド板１８，１９のそれぞれを各背表紙部１６，２０を介してさらに開き動作させる。そうすると、図６Ｂに示すように第２背表紙部２０がさらに高い山折り形状に変形しつつ、この第２背表紙部２０が各傾斜折り線Ｚ１，Ｚ２付近から各カバー部１４，１５への引寄せ力を受ける。すなわち、幅狭なために第２背表紙部２０よりも低い高さの山折り形状を形成した第１背表紙部１６と第２背表紙部２０の山折り形状とが高低差を生じ、第１背表紙部１６から第２背表紙部２０に引寄せ力が付与される。これにより、各スタンド板１８，１９及び第２背表紙部２０が各横折り線Ｘ１，Ｘ２を介してさらに立ち上がり、切れ目２４が山折り形状を形成した第１背表紙部１６の下端部を飲み込むように第１背表紙部１６側に移動する（図２参照）。このため、切れ目２４を形成する第２背表紙部２０の端面が第１背表紙部１６の外面に当接する。その結果、カバースタンド１０は、各スタンド板１８，１９の下縁部が載置面上に着地し、携帯用情報機器１２の下縁部と共に側面視三角構造を構築した起立姿勢となる（図２参照）。
【００４８】
この起立姿勢では、携帯用情報機器１２は、例えば鉛直方向から背面側に２０〜４０度程度寝た角度位置、つまり載置面上から１１０〜１３０度程度起き上がった角度位置に保持され、携帯用情報機器１２の重量によって図２に示す三角構造が安定する。例えば、携帯用情報機器１２の背面１２ｄとスタンド板１８，１９との間の角度は５０〜７０度程度に設定される。しかも、各スタンド板１８，１９の下縁部が携帯用情報機器１２の下縁部と平行する直線状に配置される。このため、例えば着席した使用者の太ももや膝上等での使用時であっても安定した起立姿勢を保持することができる。
【００４９】
なお、起立姿勢での起立角度を寝かせる場合は、第２背表紙部２０の幅寸法Ｗ２を大きくし、第１背表紙部１６と第２背表紙部２０との間の山折り形状の高低差を大きくすればよい。反対に、起立姿勢での起立角度を起こす場合は、第２背表紙部２０の幅寸法Ｗ２を小さくし、第１背表紙部１６と第２背表紙部２０との間の山折り形状の高低差を小さくすればよい。
【００５０】
以上のように、本実施形態に係るカバースタンド１０は、互いの内面に亘って二つ折りに折り畳み可能な携帯用情報機器１２の背面１２ｄが装着される第１カバー部１４及び第２カバー部１５と、第１縦折り線Ｙ１を介して第１カバー部１４と折曲可能に接続されると共に、第２縦折り線Ｙ２を介して第２カバー部１５と折曲可能に接続されることで、第１カバー部１４と第２カバー部１５との間を折曲可能に接続する第１背表紙部１６とを備える。さらにカバースタンド１０は、第１縦折り線Ｙ１と直交する第１横折り線Ｘ１を介して第１カバー部１４の一端部に接続され、携帯用情報機器１２の背面１２ｄ側から接離する方向に移動可能な第１スタンド板１８と、第２縦折り線Ｙ２と直交する第２横折り線Ｘ２を介して第２カバー部１５の一端部に接続され、携帯用情報機器１２の背面１２ｄ側から接離する方向に移動可能な第２スタンド板１９と、第１縦折り線Ｙ１と平行する第３縦折り線Ｙ３を介して第１スタンド板１８と折曲可能に接続されると共に、第２縦折り線Ｙ２と平行する第４縦折り線Ｙ４を介して第２カバー部１５と折曲可能に接続されることで、第１スタンド板１８と第２スタンド板１９との間を折曲可能に接続するものであり、第３縦折り線Ｙ３と第４縦折り線Ｙ４との間の幅寸法Ｗ２が、第１背表紙部１６の第１縦折り線Ｙ１と第２縦折り線Ｙ２との間の幅寸法Ｗ１よりも幅広に構成された第２背表紙部２０とを備える。さらにカバースタンド１０は、第１背表紙部１６と第２背表紙部２０との間を切り離すように設けられた切れ目２４を備える。
【００５１】
そして、カバースタンド１０は、第１カバー部１４と第２カバー部１５とを第１背表紙部１６を介して互いに二つ折りに折り畳んだ場合に、第１スタンド板１８と第２スタンド板１９とが第２背表紙部２０を介して二つ折りに折り畳まれ、これにより内側に携帯用情報機器１２を収納する収納姿勢に変化する。また、カバースタンド１０は、収納姿勢から第１カバー部１４と第２カバー部１５とを第１背表紙部１６を介して互いに離間する方向に開いた場合に、第１スタンド板１８と第２スタンド板１９とが第２背表紙部２０を介して互いに離間する方向に開くと共に、第１スタンド板１８及び第２スタンド板１９がそれぞれ第１横折り線Ｘ１及び第２横折り線Ｘ２を介して第１カバー部１４及び第２カバー部１５から折れ曲がることで携帯用情報機器１２の背面１２ｄから離間する方向に移動し、これにより切れ目２４を形成する第２背表紙部２０の端面が第１背表紙部１６の外面に当接し、携帯用情報機器１２を起立保持する起立姿勢に変化する。
【００５２】
従って、当該カバースタンド１０は、図５に示すように二つ折りに折り畳んで内側に携帯用情報機器１２を収納した収納姿勢から起立姿勢に変化させる際には、各カバー部１４，１５及び各スタンド板１８，１９を互いに離間させる方向に開き操作する。そうすると、第２背表紙部２０が第１背表紙部１６より高い山折り形状に変化しつつ、各スタンド板１８，１９が各カバー部１４，１５の外面からそれぞれ折れ曲がる方向に移動する。これにより、切れ目２４を形成する第２背表紙部２０の端面が第１背表紙部１６の外面に当接し、携帯用情報機器１２を起立保持する起立姿勢に変化する。つまり、使用者は各カバー部１４，１５及び各スタンド板１８，１９を開き操作するだけの１アクションで収納姿勢にあるカバースタンド１０を起立姿勢に容易に変化させることができ、高い利便性が得られる。この際、スタンド板１８，１９のカバー部１４，１５からの折れ曲がり角度は、切れ目２４を形成する第２背表紙部２０の端面が第１背表紙部１６の外面に当接することで固定される。このため、スタンド板１８，１９の角度を安定させるためのトルクヒンジ機構等も不要である。
【００５３】
第１背表紙部１６は、第１縦折り線Ｙ１と第２縦折り線Ｙ２との間となる位置に、第１縦折り線Ｙ１及び第２縦折り線Ｙ２と平行する第５縦折り線Ｙ５及び第６縦折り線Ｙ６を有し、第２背表紙部２０は、第３縦折り線Ｙ３と第４縦折り線Ｙ４との間となる位置に、切れ目２４を挟んで第５縦折り線Ｙ５及び第６縦折り線Ｙ６の延長線上に延びた第７縦折り線Ｙ７及び第８縦折り線Ｙ８を有する。そして、第５縦折り線Ｙ５と第６縦折り線Ｙ６とに挟まれた部分と、第７縦折り線Ｙ７と第８縦折り線Ｙ８とに挟まれた部分とが、収納姿勢で携帯用情報機器１２の端面を厚み方向に覆う背表紙板１６ａ，２０ａとなる。これにより、収納姿勢で携帯用情報機器１２の３面をカバースタンド１０で確実に覆いつつ、その厚みを最小限に構成することができる。
【００５４】
切れ目２４は、第５縦折り線Ｙ５との交点Ｐ１から第１縦折り線Ｙ１まで第１横折り線Ｘ１から離間する方向に延在すると共に、第６縦折り線Ｙ６との交点Ｐ２から第２縦折り線Ｙ２まで第２横折り線Ｘ２から離間する方向に延在している。これにより、山折り形状になった第２背表紙部２０を第１背表紙部１６の一端部を覆うように移動させ、切れ目２４を形成する第２背表紙部２０の端面を第１背表紙部１６の外面に安定して当接させることができる。
【００５５】
当該カバースタンド１０は、切れ目２４と第１縦折り線Ｙ１との交点Ｐ３から、第３縦折り線Ｙ３と第１横折り線Ｘ１の交点Ｐ４まで延在する第１傾斜折り線Ｚ１と、切れ目２４と第２縦折り線Ｙ２との交点Ｐ５から、第４縦折り線Ｙ４と第２横折り線Ｘ２の交点Ｐ６まで延在する第２傾斜折り線Ｚ２とを備える。これにより、切れ目２４と第１傾斜折り線Ｚ１と第１横折り線Ｘ１とで囲まれた三角形状部分と、切れ目２４と第２傾斜折り線Ｚ２と第２横折り線Ｘ２とで囲まれた三角形状部分とが、第１背表紙部１６と第２背表紙部２０の山折り形状の高低差を連続させる傾斜面となる。このため、起立姿勢時に第１背表紙部１６と第２背表紙部２０との当接部周辺がより安定し、起立姿勢での安定性が向上する。
【００５６】
なお、本発明は、上記した実施形態に限定されるものではなく、本発明の主旨を逸脱しない範囲で自由に変更できることは勿論である。
【００５７】
上記では、各カバー部１４，１５を携帯用情報機器１２の背面１２ｄの略上半分にのみ装着する構成としたが、各カバー部１４，１５及び第１背表紙部１６は背面１２ｄの全面を覆う外形を有してもよい。この場合は、例えば第１背表紙部１６を間に挟んで各カバー部１４，１５を携帯用情報機器１２の背面１２ｄ全面に設け、各カバー部１４，１５の略下半分に重なるように各スタンド板１８，１９を設け、さらに第１背表紙部１６の略下半分に重なるように第２背表紙部２０を設けるとよい。
【００５８】
上記では、カバースタンド１０を携帯用情報機器１２に着脱可能とした構成のカバースタンド付き携帯用情報機器を例示したが、カバースタンド１０と携帯用情報機器１２とは一体的に固定された構成であってもよい。
【符号の説明】
【００５９】
１０  カバースタンド
１２  携帯用情報機器
１２ａ  筐体部材
１２ｂ  ディスプレイ
１２ｃ  ヒンジ
１２ｄ  背面
１４  第１カバー部
１５  第２カバー部
１６  第１背表紙部
１６ａ，２０ａ  背表紙板
１８  第１スタンド板
１９  第２スタンド板
２０  第２背表紙部
２４  切れ目
Ｐ１〜Ｐ６  交点
Ｘ１  第１横折り線
Ｘ２  第２横折り線
Ｙ１  第１縦折り線
Ｙ２  第２縦折り線
Ｙ３  第３縦折り線
Ｙ４  第４縦折り線
Ｙ５  第５縦折り線
Ｙ６  第６縦折り線
Ｙ７  第７縦折り線
Ｙ８  第８縦折り線
Ｚ１  第１傾斜折り線
Ｚ２  第２傾斜折り線
【図１】
2018105961.tif 000003
【図２】
2018105961.tif 000004
【図３】
2018105961.tif 000005
【図４】
2018105961.tif 000006
【図５】
2018105961.tif 000007
【図６Ａ】
2018105961.tif 000008
【図６Ｂ】
2018105961.tif 000009